(57)【要約】【課題】袋ゴミの袋破壊とゴミ選別装置の提供。【解決手段】ゴミを詰めたゴミ袋は本発明の回転ドラム装置内部に設ける配列された袋破壊カッターと鉤はりにより自動破壊した後、破壊したゴミを自動分類した上、洗い流し分散装置の天面より下方向に設ける複数の袋破壊針を設け、洗浄箱の前側と横の両側に強い水柱を噴出する噴水装置を設けて、水の浮き力と洗浄力により搬送する同時に、ゴミ袋を回転させる。ゴミ袋は袋破壊針を通過するとき、袋破壊針によりゴミ袋を破って、強い水柱により分散させ、つぎのゴミ分類の目的を実現し、利用価値あるものを再利用する。ゴミを有用な物資に転換し、焼却炉の負担を大きく軽減し、地球の生態環境は大幅に改善できる。【選択図】図１
2007527781.tif 000002
【特許請求の範囲】
【請求項１】
台、
台上に設ける駆動装置、
駆動装置により駆動される回転可能なドラム篩い装置であって、このドラム篩い装置の円周に多くの細かい篩孔を設ける第一段ドラム篩いと外周面の一部分に細かい篩孔サイズより大きい篩孔を設ける第二段ドラム篩いを含む、ドラム篩い装置、
を包含し、
第二段ドラム篩い装置下部の洗い流し分散装置に中空形の洗浄箱を設け、この洗浄の箱前部にゴミ入口部、洗浄箱の後部にゴミ出口部をそれぞれに設け、洗浄箱の入口部を高くしておき、傾斜形状を設け、洗浄箱内部の頂面に数列の袋破壊針を設け、洗浄箱の入口部最先端に洗浄箱の袋破壊針に水を噴出する複数の前側噴水ノズルを設け、洗浄箱の両脇側に、強力水柱を噴出する脇側噴水ノズルを設け、
前記の装置により、ごみ袋を前記の第一弾ドラム篩いと第二段ドラム篩いに入れた後、回転させることにより、鉤針と袋破壊カッターによって袋を破り、回転し続ける間に袋を破壊し、袋を破壊されたゴミを洗い流し分散装置に設ける複数の前側噴水ノズルにより、下方向への噴水、および脇側噴水ノズルの強力水柱により洗浄した後、数列の袋破壊針により、袋破壊作業を再度行い、ゴミの完全分類目的を実現することを特徴とする、袋ゴミの袋破壊とゴミ選別装置。
【請求項２】
この装置にさらに、ドラム篩い装置上に固定する細長い荷台装置を設け、この荷台装置は細長い荷台および荷台上に複数の鉤針を設けた構造であることを特徴とする、請求項１記載の袋ゴミの袋破壊とゴミ選別装置。
【請求項３】
ドラム篩い装置に固定する一列の袋破壊カッター装置を設け、この袋破壊カッター装置に一列のカッター台およびカッター台に設けた複数の袋破壊カッターを設けたことを特徴とする、請求項１記載の袋ゴミの袋破壊とゴミ選別装置。
【請求項４】
第一段ドラム篩い下部にて稼動する第一コンベヤを設け、第一段ドラム篩い上の小さい篩い孔より選別された小さい砂石または細かい物質を搬出する。
第二段ドラム篩い下部にて稼動する第二コンベヤを設け、第二段ドラム篩い上の小さい篩い孔より選別された小型ゴミを搬出し、
第二段ドラム篩い装置吐き出し端に設ける第三コンベヤを設け、選別されなかった粗大ゴミを吐き出し端より排出して、つぎのゴミ分類プロセスに備えることを特徴とする、請求項１記載の袋ゴミの袋破壊とゴミ選別装置。
【請求項５】
ごみ袋を第一段ドラム篩い装置の仕込み端より投入された後、ごみ袋は第一段ドラム篩い装置内部で回転しながら破壊され、ゴミ中の細かい土砂、塵は第一コンベヤに排出され、搬出され、ごみ袋は回転しながら第一段ドラム篩い装置より第二段ドラム篩い装置に進入した後、粗大ゴミは荷台装置によって持ち上げられ、荷台装置が第一角度に上げたとき、可撓性物質は鉤針に引っ掛けられ、残りのゴミを底面に落下し、ごみ袋は落下の途中で破壊され、その下部に設けた袋破壊カッター台に設けた袋破壊カッターにぶつかり、破壊され、この繰返し動作で、袋内容物は完全に破壊され、各種のゴミが分散された後、前述の第二コンベヤに落下し、残りのゴミは第二段ドラム篩い装置の吐き出し端より第三コンベヤに落下し、袋ゴミの破壊およびゴミの初期分類目的を実現することを特徴とする、請求項４記載の袋ゴミの袋破壊とゴミ選別装置。
【請求項６】
前記駆動装置に、駆動モーター、駆動モーターが駆動する変速ベルト歯車、そのベルト歯車によって駆動される小歯車、その小歯車によって駆動され、第一段ドラム篩い装置と第二段ドラム篩い装置間のドラム篩い装置外周面に設けられた大きい歯車が包含されることを特徴とする、請求項１記載の袋ゴミの袋破壊とゴミ選別装置。
【請求項７】
前記駆動装置はさらに、第一段ドラム篩い装置の仕込み端外周面に設けた第一案内リング、第二段ドラム篩い装置の吐き出し端外周面に設けた第二案内リング、第一と第二案内リング下部に設け、ドラム篩い装置を回転させると共に支えるためのロールを包含することを特徴とする、請求項１記載の袋ゴミの袋破壊とゴミ選別装置。
【請求項８】
前記袋破壊カッターはそれぞれ、大、中、小篩孔区域に設けることを特徴とする、請求項１記載の袋ゴミの袋破壊とゴミ選別装置。
【請求項９】
洗い流し分散装置に設けた袋破壊針は下方向の洗浄箱内部約二分の一高さに突き出して設けることを特徴とする、請求項１記載の袋ゴミの袋破壊とゴミ選別装置。
【請求項１０】
洗い流し分散装置の前側噴水ノズルの噴水角度は洗浄箱の底面に傾斜して設けることを特徴とする、請求項１記載の袋ゴミの袋破壊とゴミ選別装置。
【請求項１１】
洗い流し分散装置における洗浄箱に設けた各方向の噴水ノズルは袋破壊針位置を避けて、すべての噴水ノズルはゴミの出口方向に対し微小角度で噴水することを特徴とする、請求項１記載の袋ゴミの袋破壊とゴミ選別装置。
【請求項１２】
第二段ドラム篩い装置の篩孔は第一段ドラム篩い装置の篩孔より大きく設けるこを特徴とする、請求項１記載の袋ゴミの袋破壊とゴミ選別装置。
【請求項１３】
ドラム篩い装置内部に設ける配列状の袋破壊カッターおよび鉤針により、ゴミ袋を自動破壊した後、ゴミ袋は回転しながら、自動的に袋破壊後のゴミを分類するこを特徴とする、請求項１記載の袋ゴミの袋破壊とゴミ選別装置。
【請求項１４】
洗い流し分散装置の洗浄箱の天面に下方向に延ばして複数の袋破壊針を設け、洗浄箱の前側と脇側にそれぞれ強力水柱を噴出する噴水装置を設け、水の浮き力と洗浄力により、袋ゴミを搬送および回転させ、袋ゴミは袋破壊針を通過するとき、袋破壊針によりゴミ袋を破った後、強力水柱により、分散、洗浄を行い、つぎのゴミ分類処理プロセスに備え、有用物資に転換し再利用するこを特徴とする、請求項１記載の袋ゴミの袋破壊とゴミ選別装置。
【請求項１５】
台、
台上に設ける駆動装置、
駆動装置により駆動される回転ドラム篩い装置であって、このドラム篩い装置の円周に多くの細かい篩孔を設ける第一段ドラム篩いと外周面の一部分に細かい篩孔サイズより大きい篩孔を設ける第二段ドラム篩いを含む、上記回転ドラム篩い装置、
を包含したことを特徴とする、袋ゴミの袋破壊とゴミ選別装置。
【発明の詳細な説明】
【技術分野】
【０００１】
本発明は一種の袋ゴミの袋破壊とゴミ選別装置に関わるものである。
【背景技術】
【０００２】
産業の高速発展は人間に喜びと便利を与え、プラスチック製品は私たちの生活にたくさん応用され、日常生活品がますます豊富と共に、これにより、様々な利便性を実感する。しかし、大量なプラスチック製品は使用後ゴミとなり、経時破壊できないため、人間の生存環境の極めて大きな脅威となった。一例として、廃棄されたプラスチック袋、発泡スチロール製ランチボックスが町中のいたるところで風により、飛び回るシーンが私達の目に映し、いろんなプラスチックゴミ袋は環境を汚染するだけではなく、以下に埋めても、数百年立っても分解できないため、土壌の通気性が失われ、耕作ができないほか、大量な土地を必要である。しかし、焼却処理ときの排気、黒煙は環境にとって、二次汚染となる。
【０００３】
このため、プラスチック袋と発泡材ゴミの課題を解決し、この地球を汚染する廃棄物を有用なものに置き換えることが、都市ゴミ分類課題でもっとも重要な課題となっている。政府機関は住民に自宅でゴミを分類した上、収集後集中分類処理することを呼びかけているが、その効果はあまり良くない。また、地球資源の消費につれて、人間は限られた地球資源を重視および大切としなければならずゴミに含まれる利用可能な物資を回収使用することは、ゴミ処理量を減少できるばかりでなく、ゴミ埋め立て地使用年数の圧力を軽減でき、人間による地球資源の消費に歯止め効果を与える。よって、資源回収はゴミ処理の圧力を軽減するための好ましい方策である。
【０００４】
しかし、現時点ゴミ回収の効果は完全とは言えない。袋詰めゴミの中に回収可能な物質が含まれている。清掃業者はゴミ回収の目的を果たすため、袋ゴミを開梱して、内部の回収可能なものを一一にチェックしなければならない。しかし、混合ゴミのうち、回収可能物は通常垢、油しみまたは感染危険性あるの汚染物または化学薬剤を含まれている。これらの回収可能物を一一にチェックおよび取り出すことは、清掃者の苦労と危険性を与えている。このため、高効率の自動分類装置により、ゴミ処理するほか、袋詰めゴミを破壊および洗浄する装置を提供し、労働力と危険性を軽減し、ゴミ分類の実効に助けることは一刻も猶予できないことである。
【発明の開示】
【発明が解決しようとする課題】
【０００５】
本発明の主な目的は、一種の袋ゴミの袋破壊とゴミ選別装置を提供することにあり、それによると、分類前のゴミ袋は回転するドラム内部に設ける配列の袋破壊カッターと鉤はりにより自動破壊する。袋破壊後のゴミを自動分類し、有用な物質を再利用し、ゴミを有用物資に転換し、焼却炉の負担を軽減し、地球の生態環境を大幅に改善する。
【０００６】
本発明もう一つの目的は、ゴミ袋の破壊および破壊後のゴミ選別装置により、袋ゴミの袋ほぐし、袋破壊、ゴミの分散、洗浄および分離を自動的に行える一種の袋ゴミの袋破壊とゴミ選別装置を提供することにある。
【０００７】
本発明一つの目的は袋ゴミの袋ほぐし、ゴミを分散と同時に、ゴミを初歩的に洗い流し洗浄する効果を有する、一種の袋ゴミの袋破壊とゴミ選別装置を提供することにある。
【０００８】
本発明さらに一つの目的は、一種の構造が簡単で、製造コストが低く、保守便利の袋ゴミの袋破壊とゴミ選別装置を提供することにある。
【課題を解決するための手段】
【０００９】
本発明は前記の目的とその効果を実現するため、以下の技術手段を含める。
台、
台上に設ける駆動装置。
駆動装置により駆動される回転ドラム篩い装置であって、このドラム篩い装置の円周に多くの細かい篩孔を設ける第一段ドラム篩いと外周面の一部分に細かい篩孔サイズより大きい篩孔を設ける第二段ドラム篩いを含む、回転ドラム篩い装置。
ドラム篩い装置に細長い荷台装置を固定する。この荷台装置に細長い荷台と荷台上に設ける複数の鉤針を設ける。
ドラム篩い装置に固定する一列の袋破壊カッター装置を設け、この袋破壊カッター装置に一列のカッター台およびカッター台に設ける複数の袋破壊カッターを設ける。
ドラム篩い装置下部に洗い流し分散装置を設け、この洗い流し分散装置に中空形洗浄箱を設け、この洗浄箱の前部にゴミ入口部、洗浄箱の後部にゴミ出口部をそれぞれに設け、洗浄箱の入口部を高くし傾斜形状を形成する。洗浄箱内部の頂面に数列の袋破壊針を設け、洗浄箱の入口部最先端に洗浄箱の袋破壊針に水を噴出する複数の前側噴水ノズルを設け、洗浄箱の両脇側に、強力水柱を噴出する脇側噴水ノズルを設ける。
前記の装置により、ゴミ袋を前記の第一段ドラム篩いと第二段ドラム篩いに入れた後、回転することにより、鉤針と袋破壊カッターによって袋を破り、回転し続ける間に袋を破壊する。袋を破壊されたゴミは洗い流し分散装置に設ける複数の前側噴水ノズルにより、下方向への噴水、および脇側噴水ノズルの強力水柱による洗浄した後、数列の袋破壊針により、袋破壊作業を再びに行い、ゴミの完全分類目的を実現する。
【発明の効果】
【００１０】
本発明は、一種の袋ゴミの袋破壊とゴミ選別装置を提供し、分類前のゴミ袋は回転するドラム内部に設ける配列の袋破壊カッターと鉤はりにより自動破壊する。袋破壊後のゴミを自動分類し、有用な物質を再利用し、ゴミを有用物資に転換し、焼却炉の負担を軽減し、地球の生態環境を大幅に改善する。
【発明を実施するための最良の形態】
【００１１】
本発明は生活ゴミを処理するときに一種の必要な前置作業装置である。生活ゴミの選別または堆肥回収などのプロセスのとって、特に重要である。生活ゴミの構成が極めて複雑にわたる。よって、袋ゴミの袋破壊機能および初期選別精度は後の処理プロセスにおける選別精度と処理速度に大きく影響するため、非常に重要である。
【００１２】
現在、世界中のゴミ処理方法は、焼却と埋め立てのほか、すでに開発済みまたは開発中のゴミ処理技術がある。基本的に袋ゴミの袋を破壊しておかないと、それらの技術による処理はできない。よって、本発明の創意が新しく、袋破壊機能を有するほか、ゴミの選別効果がある。よって、今後のゴム処理技術ニーズを完全に満足できる。
【００１３】
本発明における袋ゴミの袋破壊とゴミ選別装置は生活ゴミ処理の第一段階に位置づけし、その機能は以下のとおりである。
１．生活ゴミの袋内容物Ｗの袋を全部破壊できる。
２．生活ゴミの袋を破壊する前に、土砂と塵Ｓの収集処理を先に行
う。
３．生活ゴミ袋を破壊した後、それに含まれる微小顆粒状（５ｍｍ以下）の物質を精確に収集できる。
４．生活ゴミの粗大ゴミを二種類に分けて収集する。
（イ）重量物の粗大ゴミＦ：トランク、衣類Ｔ、組立家具、大きい箱、木材など。
（ロ）軽量な粗大ゴミ：大きいプラスチック袋、各種紙、各種発泡スチロール製品など。
５．袋破壊後のゴミが（５ｍｍ）より大きいおよび２２０ｍｍより小さい物質を一種類に仕分ける。この中に生活ゴミ内容物の種類が多く、詳細に説明しきれない。主に有機物、プラスチック瓶、缶B などがある。
６．袋破壊後のゴミを洗い流し分散装置の強力水柱により、洗浄した上、数列の袋破壊針によりゴミ袋を破ってゴミの完全分類目的を実現する。
【００１４】
図１〜８に本発明袋ゴミの袋破壊とゴミ選別装置の詳細構成を示す。本発明の装置は以下により構成する。
【００１５】
袋破壊ドラム篩い装置１０を設ける。この装置は、内周部に複数の小さい篩孔１１０（直径８〜１０mm）を設けた第二段ドラム篩い１１と内周面の一部（約五分の一円周）に大、中、小三段または多段式大きい篩孔１２１、１２２、１２３を設けた第二段ドラム篩い１２を包含する。
【００１６】
ドラム篩い装置１０を支える台２０を設ける。
【００１７】
袋破壊ドラム篩い装置１０内周面に荷台装置３０を設ける。荷台装置３０に複数の鉤針３１を設け、鉤針３１はねじ（図示していない）により荷台３２に固定される。
【００１８】
袋破壊ドラム篩い装置１０内周面に一列の袋破壊カッター装置４０を設け、この袋破壊カッター装置４０は一列の袋破壊カッター４１および袋破壊カッター４１はねじ（図示していない）によりカッター台４２に固定する。
【００１９】
ドラム篩い装置１０を回転させる駆動装置５０を設け、この駆動装置５０は、第一段ドラム篩いと第二段ドラム篩いの間に円周歯車５７を設け、円周歯車５７はモーター５１駆動の主軸上のベルト歯車５２、小歯車台５６上の小歯車５５、伝動ベルト歯車５４、および伝動ベルト歯車５２と５４との間に設ける伝動ベルト５３より構成する伝動装置によって駆動される。
【００２０】
第一段ドラム篩い１１下部にて横方向に稼動する第一コンベヤ６０を設け、第一段ドラム篩い１１上の小さい篩い孔１１０より選別された小さい砂石または細かい物質を搬出する。
【００２１】
第二段ドラム篩い１２下部にて縦方向に稼動する第二コンベヤ７０を設け、第二段ドラム篩い１２上の大、中、小篩孔１２１、１２２、１２３より選別された中型ゴミと完全に破壊しきれない少数の小型ゴミを洗い流し分散装置１３に搬送する。
【００２２】
第二段ドラム篩い装置１２下部の第二コンベヤ７０吐き出し端に洗い流し分散装置１３を設け、この洗い流し分散装置１３に中空形洗浄箱を設け、この洗浄の箱前部にゴミ入口部１３１、洗浄箱の後部にゴミ出口部１３８をそれぞれに設け、洗浄箱の入口部を高くしておく、傾斜形状を形成する。洗浄箱内部の頂面に数列の袋破壊針１３３を設け、洗浄箱の入口部最先端に洗浄箱の袋破壊針に水を噴出する複数の前側噴水ノズル１３４を設け、洗浄箱の両脇側に、強力水柱を噴出する脇側噴水ノズル１３５を設ける。
【００２３】
第二段ドラム篩い装置１２５下部に横方向に稼動する第三コンベヤ８０を設け、第一段ドラム篩い装置１１と第二段ドラム篩い装置１２より選別された粗大ゴミを搬出させ、ゴミ再分類処理プロセスに備える。
【００２４】
第一段ドラム篩い装置１１仕込み端１１２外周面に第一案内リング１１１を設ける。
【００２５】
第二段ドラム篩い装置１２吐き出し端１２５外周面に第二案内リング１２４を設ける。
【００２６】
第一案内リング１１１と第二案内リング１２４下部に設ける一対の案内ロール５８- ５８を設ける。
【００２７】
図１〜８に示すとおり、本発明装置の主な目的は、生活ゴミをドラム篩い装置１０内周面に設けた袋破壊カッター４１と鉤針３１により、ゴミ袋を破りまたは破壊し、破壊されたゴミは第一段ドラム篩い装置１１の小さい篩孔１１０、第二段ドラム篩い装置１２の大、中、小篩孔１２１、１２２、１２３、及袋破壊ドラム選別装置１０の吐き出し端１２５を経て、概略分類する。
【００２８】
図１、７〜８および１０に示すとおり、洗い流し分散装置１３は洗浄箱１３より構成し、ゴミ入口部１３１を天面に設け、その形態は高い場所から低い場所へ傾斜して下部の洗浄箱１３二分の一高さに突き出して横方向に数列の袋破壊針１３３（図７および１０）を設け、前後列袋破壊針１３３の間に、二つずつ交差間隔方式に配列しておく（図１および７）、これにより、第二段ドラム篩い装置１２より篩いだした袋破壊不完全な小型ゴミが洗い流し分散装置１３を通過するとき、ゴミ袋が確実に破られる目的を実現する。
【００２９】
さらに、本発明の洗浄箱１３がゴミ入口部１３１近傍の端面に洗浄箱１３の袋破壊針１３３方向に水中を噴出する前側噴水ノズル１３４（図１、７と図１０）を設け、各前側噴水ノズル１３４の噴水角度は図示のように洗浄箱１３の底面に対し傾斜して設ける。これにより、各前側噴水ノズル１３４より噴出する水流は洗浄箱１３の底面に到達し、波状の水により袋ゴミを前方向に搬送する。さらに、洗浄箱１３の水流動方向二つの脇側に複数の順番に配列した脇側噴水ノズル１３５を設ける。各脇側噴水ノズル１３５の位置は水の流動方向に対して、袋破壊針１３３の位置と互いに交差しておく、各脇側噴水ノズル１３５はゴミ出口部１３８方向よりやや小さい角度（約２〜３度）に噴水する（図１０Ａ−１０Ｄ）。さらに各脇側噴水ノズル１３５水柱の中心部は袋破壊針１３３末端位置に合わせて設け、前側噴水ノズル１３４と各脇側噴水ノズル１３５の出水量により、水平面の高さを各脇側噴水ノズル１３５の半分距離になるよう有効に制御する。各脇側噴水ノズル１３５が噴出するときに、水面上に噴出する水柱は半分のみであり、残り半分の水柱は水面下に噴出させ、ゴミの搬送と分散の二重効果を実現する。
【００３０】
さらに、図８から９Ａ〜９Ｅに示すとおり、本発明装置の袋破壊および選別プロセスの操業状況の概要を以下のとおり説明する。
【００３１】
袋破壊ドラム選別装置１０は稼動開始後、ゴミは仕込み端１１２より袋破壊ドラム選別装置１０の第一段ドラム篩い装置１１内部に設ける小さい篩孔１１０の一部分に仕込まれる。このとき、袋ゴミが袋破壊ドラム選別装置１０における状態は図９Ａに示とおり、袋破壊ドラム選別装置１０が時計方向に回転したとき、土砂、塵Ｓなどは小さい篩孔１１０より落下される。そして、袋破壊ドラム選別装置１０が回転し続けると、土砂、塵Ｓなどは小さい篩孔１１０から絶えずに落として行く、袋内容物Ｗ、衣類Ｔなど、直径８〜１０ｍｍより大きいゴミは荷台３０により底面から上方向に持ち上げられ（図９Ｂ）、荷台３０が一定角度に回転したとき、図９Ｃに示すとおり、衣類Ｔなど可撓性物質は鉤針３１に引っ掛けられ、その他の袋内容物Ｗとばらゴミ荷台３０と一緒に下方向に滑り落ちる。荷台３０状に複数の鉤針３１があるため、袋内容物Ｗは滑り落ちる途中に破られるか、または損傷口を残す。そして、下落は底面に設けた袋破壊カッター台４２に設けた袋破壊カッター４１にぶつかりし、袋は破られるか、裂け口を形成する。袋破壊ドラム選別装置１０が回転し続ける。この繰返しで、袋内容物Ｗは完全に切り込まれて、各種のバラ物質を分離し、袋破壊カッター台４２に設ける袋破壊カッター４１の間隔に一致性があり、大、中、小の篩孔１２１、１２２、１２３は袋破壊カッター台４２の両脇も小さいから大きいサイズ、様々な篩孔（直径１３５ｍｍ〜２２０ｍｍ）（図１と図５）を設け、これらの大、中、小さい篩孔１２１- １２３の範囲はドラム篩い五分の一円周面積を占め、残りは孔を設けない密閉内周壁である。破壊ドラム選別装置１０が回転をし続ける間、バラ物は荷台３０により、持ち上げて篩孔に落下するかまたは篩いドラムの内周面に沿って、篩孔１２１〜１２３より落下する。袋破壊ドラム選別装置１０が一定角度に回転したとき、図９Ｄに示すとおり、衣類Ｔなどの可撓性物質の落下が始まる。その落下する位置は孔を設けない密閉内周壁である。最後に、直径は２２０ｍｍより大きい粗大ゴミＦと衣類Ｔなど可撓性の袋は、袋破壊ドラム選別装置１０の吐き出し端１２５で、案内板１５（図１）により、袋破壊ドラム選別装置１０外部に排出される（図９Ｅ）。さらに、第三コンベヤ８０により搬出し、さらなるのゴミ選別処理を行う。
【００３２】
その特徴として、袋破壊ドラム選別装置１０は水平にごく小さな傾斜角度に固定することにより、ゴミを仕込み端１１２から吐き出し端１２５に移動させ、ゴミを落下するとき、袋破壊ドラム選別装置１０の吐き出し端１２５方向へ自動的に移動できる。
【００３３】
図７、８から図１０Ａ〜１０Ｄと合わせて、本発明の洗い流し分散装置の操業状況の概要を説明する。
【００３４】
図８〜１０に示すとおり、本発明は実施するとき、前側噴水ノズル１３４と脇側噴水ノズル１３５より水柱を噴出させ、出水量により、洗浄箱１３の水平高度を脇側噴水ノズル１３５の半分位置に合わせておく、波状に波動しながら前方向に進める（図８、１０）。このとき、袋ゴミＡを順番にゴミ入口部１３１より洗浄箱１３に投入する（図８、１０）。袋ゴミＡは洗浄箱１３内部で水に流れながら、袋ゴミＡは袋破壊針１３３にぶつかったとき、一時的袋破壊針１３３の下部に滞留される。洗浄箱１３の脇側噴水ノズル１３５より水柱引き続きに噴出させ、その脇側より噴出する水柱は、袋ゴミＡを袋破壊針１３３下部に回転させ、袋破壊針１３３により、袋ゴミＡを素早く破るか、分散して、袋ゴミＡ内部のゴミを水に落ちて行く（このプロセスは、瞬間に行われるが、前述の説明は理解し易いための分解動作説明である）。
【００３５】
ゴミ袋でばらばらになった各種ゴミは水面に浮き上がって、ゴミ出口部１３８に進む。このとき、脇側噴水ノズル１３５も水柱を引き続きに噴出させる。よって、前進のとき、脇側噴水ノズル１３５より噴出する水柱は、ゴミを確実に分散できる（図１０Ｃ、１０Ｄ）ほか、分散とき、ゴミに対する初期洗浄をしながら、ゴミ出口部１３８より水と一緒に洗浄箱１３外部に排出させ、収集するかまたは次のプロセス９０の入口９１に搬送し、人力または機械方式による分類、回収処理を行う。
【００３６】
本発明の好ましい実施例１における、最も主要な創意精神は一種の回転ドラム篩い装置を提供し、回転ドラム篩い装置の内部に細長い荷台に複数の鉤針および複数列の袋破壊カッター装置に複数の袋破壊カッターを設けることにより、ごみ袋を回転ドラム篩い装置に投入し回転させて、鉤針と袋破壊カッターによって破り、回転を継続して袋を破壊させる。さらに、洗浄箱天面から下方向に延ばして、複数の袋破壊針を設け、洗浄箱の前面と脇側にそれぞれ強力水柱を噴出する噴水装置を設ける。水の浮き力と洗浄力により、袋ゴミを搬送および回転させながら、袋ゴミは袋破壊針を通過するとき、袋破壊針によちごみ袋を破壊した上、強力水柱により分散および洗浄し、つぎのゴミ分類の目的に備える。その構造・特徴より構成する空間形態は、本発明の独創的である。
【００３７】
本発明の回転ドラム篩い装置は必要に応じて、複数の小さい篩孔を設ける第一段ドラム篩い装置と大、中、小多段式の大きい篩孔を設ける第二段ドラム篩い装置を分離構造に設けることもできる。すなわち、細長い荷台上に設ける複数の鉤針と複数列の袋破壊カッターを分離構造に設けても良い。よって、本発明の回転ドラム篩い装置は前述の複数の篩孔と複数列の鉤針と袋破壊カッターは同時に設けることを必須条件としない。
【００３８】
本発明の回転ドラム篩い装置と洗い流し分散装置は実務上、ゴミ分類がすでに徹底されているとき、回転ドラム篩い装置と洗い流し分散装置は択一使用可能である。よって、同時に設けることを必須条件としない。
【図面の簡単な説明】
【００３９】
【図１】本発明装置の立面概略図である。
【図２】本発明装置の正視図である。
【図３】本発明装置の右側視図である。
【図４】本発明装置の第一縦方向断面概略図、荷台と鉤針との関係位置を示すものである。
【図５】本発明装置の第二縦方向断面概略図、袋破壊カッターとカッター台との関係位置を示すものである。
【図６】本発明装置の第三縦方向断面概略図、荷台上に設ける鉤針配置の関係位置を示すものである。
【図７】本発明装置の洗い流し分散装置立面概略図である。
【図８】本発明装置のゴミ選別状態の部分断面図、ゴミ分類、コンベヤ装置、洗い流し分散装置との関係位置を示すものである。
【図９Ａ】本発明装置の袋ゴミの袋破壊および袋破壊後におけるゴミ分類プロセスの概略平面図である。
【図９Ｂ】本発明装置の袋ゴミの袋破壊および袋破壊後におけるゴミ分類プロセスの概略平面図である。
【図９Ｃ】本発明装置の袋ゴミの袋破壊および袋破壊後におけるゴミ分類プロセスの概略平面図である。
【図９Ｄ】本発明装置の袋ゴミの袋破壊および袋破壊後におけるゴミ分類プロセスの概略平面図である。
【図９Ｅ】本発明装置の袋ゴミの袋破壊および袋破壊後におけるゴミ分類プロセスの概略平面図である。
【図１０Ａ】本発明装置の袋ゴミの袋破壊および袋破壊後におけるゴミ分類搬送プロセスの概略平面図である。
【図１０Ｂ】本発明装置の袋ゴミの袋破壊および袋破壊後におけるゴミ分類搬送プロセスの概略平面図である。
【図１０Ｃ】本発明装置の袋ゴミの袋破壊および袋破壊後におけるゴミ分類搬送プロセスの概略平面図である。
【図１０Ｄ】本発明装置の袋ゴミの袋破壊および袋破壊後におけるゴミ分類搬送プロセスの概略平面図である。
【符号の説明】
【００４０】
１０    袋破壊ドラム篩い装置
１１  第一段ドラム篩い
１１０  小さい篩孔
１１１  第一案内リング
１１２    仕込み端
１２  第二段ドラム篩い
１２１〜３  大、中、小篩孔
１２４  第二案内リング
１２５  吐き出し端
１３  洗浄分散装置、洗浄箱
１３１  入口部
１３３  袋破壊針
１３４  前側噴水ノズル
１３５  脇側噴水ノズル
１３８  出口部
２０  台
３０  荷台装置
３１  鉤針
３２  荷台
４０  袋破壊カッター装置
４１  袋破壊カッター
４２  カッター台
５０  駆動装置
５１  モーター
５２  ベルト歯車
５３  伝動ベルト
５５  小歯車
５６  小歯車台
５７  円周歯車
５８  案内ロール
６０  第一コンベヤ
７０  第二コンベヤ
８０  第三コンベヤ
Ａ  袋ゴミ
Ｆ  重量物粗大ゴミ
Ｓ  土砂、塵土
Ｗ  袋内容物
Ｔ  衣類
【図１】
2007527781.tif 000003
【図２】
2007527781.tif 000004
【図３】
2007527781.tif 000005
【図４】
2007527781.tif 000006
【図５】
2007527781.tif 000007
【図６】
2007527781.tif 000008
【図７】
2007527781.tif 000009
【図８】
2007527781.tif 000010
2007527781.tif 000011
2007527781.tif 000012
2007527781.tif 000013
2007527781.tif 000014
2007527781.tif 000015